(57)【要約】      （修正有）【課題】敷布団又はマットに対して、一人での付け外しが簡単であり、さらには、袋の形状を、シーツの装着状態が簡単迅速に整える立体的なものにしたワンタッチ掛けシートを提供する。【解決手段】敷布団又はマットより広幅で長めの長方形シーツ布１００Ｂからなり、このシーツ布１００Ｂの上部を所定長さに折込み上部布２００とし、シーツ布１００Ｂの両側部を折り込み側部布３００とし、上部布２００と側部布３００とが合わさった部分２−３を縫って袋状シーツにし、その両角部を袋の裏側に押し込み各角部の折込目２０１、３０１に直行する底辺４０１を有する縦型の三角マチ４００を形成し、その底辺４０１を縫合して頂角部４０２を折込目２０１、又は３０１に縫合してなることを特徴とするワンタッチ掛けシーツ。【選択図】図６
0003143137.tif 000002
【実用新案登録請求の範囲】
【請求項１】
敷布団又はマットより広幅で長めの長方形シーツ布100からなり、このシーツ布100の上部を所定長さに折込み上部布200とし、シーツ布100の両側部を折り込み側部布300とし、上部布200と側部布300とが合わさった部分2-3を縫って袋状シーツ100Ａにし、その両角部101を裏側に押し込み各角部の折込目201、301に直行する底辺401を有する縦型の三角マチ400を形成し、その底辺401を縫合して頂角部402を折込目201、又は301に縫合してなることを特徴とするワンタッチ掛けシーツ。
【考案の詳細な説明】
【技術分野】
【０００１】
本考案は、敷布団又はマットのワンタッチ掛けシーツに関するものである。
【背景技術】
【０００２】
本考案は、特に病院、ホテル等の寝具として使用する敷布団やマットの掛けシーツの取替えを、一人でも容易にでき、また敷布団のサイズが多少変わっても普遍性良く、簡単、迅速に、効率よくなし得、しかも、装着後は、装着初期の状態を長時間維持する簡便なシーツを提供するものである。
従来より、敷布団 は、汗等で汚染されないように敷布団掛けシーツで覆って使用されている。敷布団 シーツは、一般に布団全体を被覆するものであった。
全体の大きさが敷布団 の大きさより大きな１枚の布からなるものが多用されている。この種の敷布団 シーツ は、敷布団 の上面を覆うと共に周囲を敷布団 の裏側に折り込んで使用する。
即ち、従来汎用の敷布団シーツは織布を用いて敷布団 よりも大きな縦横寸法に形成されている。かかる敷布団シーツ を用いてベッドメイクをするにあたっては、作業者の１人が敷布団シーツの前部折込み部分をベッド上に敷かれた敷布団の前部の下に折り入れて保持する。
そして、別の作業者が敷布団 シーツの後部折込み部分を後向きに引っ張って敷布団シーツを展張させたのち、後部折込み部分を敷布団の後部の下に折り入れる。
このとき、作業者の１人が前部折込み部分をしっかり持っていなければ、敷布団シーツをぴんと張ることができない。
続いて、敷布団シーツの左側部折込み部分、右側部折込み部分を敷布団の左側部、右側部の下方にそれぞれ折り入れることにより、ベッドメイク作業が完了する。
上記のように、従来汎用の敷布団シーツをしっかりと張れるようにベッドメイク作業をするためには、少なくとも２人の作業者が必要である。また、前部折込み部分、後部折込み部分、左側部折込み部分、および右側部折込み部分のいずれもが敷布団とベッドの間に挿し込まれているだけであることと、敷布団 シーツを構成する織布がほとんど伸びないことから、ベッド利用者の動きに引っ張られて各折込み部分が徐々に位置ズレし、ひいては挿し込み位置から外れてめくれることがある。
【０００３】
そこで、シーツの全体を袋状に形成して、その一側方に設けたスリット状の開口から内部に敷布団を収納するもの、或いはシーツの周縁を全体的にゴム部により絞って、敷布団に被せるものがある。しかしながら、全体が袋状のシーツは、その一側方の狭い開口から大きな敷布団を内部に入れるので、シーツの付け外しが非常に面倒で、極めて難しかった。
また、シーツの周縁に全体的にゴム部を設けた、いわゆるフィットシーツ は、敷布団 １３への付け外しが上記シーツよりは簡単になるが、ゴム部の部分が予め縮んだ形状に作られているので、洗濯した場合には形を整え難くて非常に干し難かった。
更なる例として、シーツ材の長手方向における一端をその全幅に亘って裏側へ折り返して袋状の収納部を設けると共に、シーツ材の長手方向における他端の裏側の両角部にそれぞれゴムバンドを斜めに掛け渡している。敷布団 の長手方向の一方をシーツ材の袋状の収納部の中に、手で差し入れると共に、敷布団の他方の両角部をそれぞれシーツ材のゴムバンドの下に差し込むものがある。
また、敷布団の頭側と脚部側にかぶせる袋を各々縫製したものがある。
【特許文献１】特開2005-152453号公報
【考案の開示】
【考案が解決しようとする課題】
【０００４】
これらのシーツにおいて共通する袋状の収容部は、布を単に二つ折り01にし、この両サイド02、03を直線縫い02a,03aにしたものである。
これでは、敷布団には厚みがあるのでその両角にフィットさせて綺麗に包むには、両手で角に合わせて敷布団の角を差し入れなけばならない。また敷布団の厚みが変わると、形状にフィットすることが困難で、ずれることが多くシーツ掛けが益々煩雑になる。脚部側は一旦裏返す手間も必要になるなど、時間と手数が掛かり、その改善が強く要望されていた。
本発明は、一人での付け外しが簡単で迅速であり、さらには、袋の形状を、シーツの装着状態が簡単迅速に整えるように立体的にしたので、装着状態では使用中の捲くれ、ずれ、滑り、外れたりすることがないワンタッチ掛けシートを提供するものである。
【課題を解決するための手段】
【０００５】
本考案は上記問題を解決するためになされたものでありその特徴とするところは、次の（1）にある。
（1）敷布団又はマットより広幅で長めの長方形シーツ布100からなり、このシーツ布100の上部を所定長さに折込み上部布200とし、シーツ布100の両側部を折り込み側部布300とし、上部布200と側部布300とが合わさった部分2-3を縫って袋状シーツ100Ａにし、その両角部101を裏側に押し込み各角部の折込目201、301に直行する底辺401を有する縦型の三角マチ400を形成し、その底辺401を縫合して頂角部402を折込目201、又は301に縫合してなることを特徴とするワンタッチ掛けシーツ。
【考案の効果】
【０００６】
本考案のワンタッチ掛けシートは、一人で敷布団 やマットに付け外しが極めて迅速かつ簡単にできるシーツであり、さらには、袋の形状を、シーツの装着状態が簡単迅速に整えるように立体的にしたので、装着状態では使用中の捲くれ、ずれ、滑り、外れたりすることがない優れた効果を有するシートである。
【考案を実施するための最良の形態】
【０００７】
本考案のワンタッチ掛けシーツは、図１〜図６に示すように、敷布団又はマットより広幅で長めの長方形シーツ布100からなり、このシーツ布100の上部を所定長さに折込み上部布200とし、シーツ布100の両側部を折り込み側部布300とし、上部布200と側部布300とが合わさった部分2-3を縫って袋状シーツ100Ａにし、その両角部101を袋の裏側に押し込み各角部440の折込目201、301に直行する底辺401を有する縦型の三角マチ400を形成し、その底辺401を縫合して頂角部402を折込目201、又は301に縫合してなる。
本例の上記構成のワンタッチ掛けシーツの作り方と出来上がる過程における形状などについて詳細に説明する。
図１は、敷布団又はマットより広幅で長めの長方形シーツ布100を示す。
この長方形シーツ布100の折込は、図２に示す。図１と図２において、このシーツ布100の上部100a所定長さに折込んで上部布200とし、シーツ布100の両側部100b1を折込んで側部布300とし、これ等を技術的に順序が限定されるものでないが、例えば1〜3の順に折り込み、上部布200と側部布300とが合わさった部分2-3の縁部220と側部布300及び縁部330と上部布200を適宜縫合して上部と両側部を二重にして袋を形成した平面形状の上・両側袋状シーツ100Ａにする。
【０００８】
次に、平面形状の上・両側袋状シーツ100Ａの両角部440を袋の裏側に押し込み各角部における上部布200の折込目201と、側部布300の折込目301に直行する底辺401を有する縦型の三角マチ400を形成するには、例えば、図２の左角部440に三角マチ400を形成する場合は、図３に示すように、一旦裏返して行う例を紹介する。裏返した図３に示す状態から、図４の(1)に示す如く、角部440の折込目201と折込目301を矢印201a,301aのように押し込んで図４の(2)と図４の(3)にも示す縦型で底辺401が折込目201と折込目301に直行する三角（袋）マチ400を形成する。
三角マチ400の底辺401の長さは、掛ける敷布団やマットの厚さに応じて決定する。また三角マチ400の高さは、任意であるが、錘り的機能を加減するのに適宜設定すればよい。
次にこの三角マチ400は、図５に示すように三角マチ400の底辺401を縫合し、頂角部402を折込目201、又は301に縫合ＨＧする。この頂角部402の縫合は必須的条件ではないが、洗濯後の形状保持上は便宜的である。この後、部分2-3を表反す。
図２の右角部440も上記と同様の工程で三角マチ400を造り表反しすることにより、図６に示す立体袋形状シーツ100Ｂとなる。
この立体袋形状シーツ100Ｂにより、敷布団又はマットへの使用時は、その側部などから、一人でシーツの下部側を持ち上部を広げながら投げ掛けるだけで三角マチ400の錘り機能との相乗効果により袋部が開き中に空気が入いり立体的になって敷布団の上端側に合わせ置くことができる。そして敷布団又はマットの上端部にこの立体的になっている袋部を掛けて下に引くのみで袋部内に敷布団の上端部がスッポリ入りフィットする。この後、側部布300を敷布団の両側下に敷き込み、次いで下部を包んで、一枚のシーツ掛けを完了する。
このように本例のワンタッチ掛けシーツは、一人作業による簡単迅速なシーツ掛けを極めて容易に可能ならしめたものである。
【産業上の利用可能性】
【０００９】
本考案のワンタッチ掛けシートは、一人で敷布団 やマットに付け外しが極めて迅速かつ簡単にできるシーツであり、さらには、袋の形状を、シーツの装着状態が簡単迅速に整えるように立体的にしたので、装着状態では使用中の捲くれ、ずれ、滑り、外れたりすることがない優れた効果を有するシートである。特に病院、ホテル等の寝具として使用する敷布団の掛けシーツにはその適用効果が抜群であり、当該業界での活用拡大が大きく期待される。
【図面の簡単な説明】
【００１０】
【図１】本考案の１実施例における形成順１を示す平面図である。
【図２】本考案の１実施例における形成順２を示す平面図である。
【図３】本考案の１実施例における形成順３を示す平面図である。
【図４】本考案の１実施例における形成順４を示す平面図である。
【図５】本考案の１実施例における形成順５を示す平面図である。
【図６】本考案の１実施例の完成図を示す斜視説明図である。
【符号の説明】
【００１１】
100      長方形シーツ布
200      上部布
201      上部布200の折込目
300      側部布
301      側部布300の折込目
2-3      上部布200と側部布300とが合わさった部分
101      両角部  
400      縦型の三角マチ
401      底辺
402      頂角部
【図１】
0003143137.tif 000003
【図２】
0003143137.tif 000004
【図３】
0003143137.tif 000005
【図４】
0003143137.tif 000006
【図５】
0003143137.tif 000007
【図６】
0003143137.tif 000008